(57)【要約】【課題】キャップを廃棄する際にＩＣタグのキャップからの取り外しを容易に行うことが可能なＩＣタグ付キャップを提供することである。【解決手段】頂板部及びスカート部から成り、該頂板部中央に開口が形成されたキャップシェル、該キャップシェル頂板部の開口を覆うように、キャップシェル内面に組み合わされるシール材、及び製品情報が記憶されたＩＣタグから成るＩＣタグ付キャップにおいて、前記ＩＣタグが、キャップシェル頂板部内面及びシール材上面で保持され、キャップを容器口部から取外した後、シール材をキャップシェル開口から押圧してキャップシェルと分離することにより、ＩＣタグのキャップからの取外しが可能であることを特徴とするＩＣタグ付キャップ。【選択図】図２
2008090337.tif 000002
【特許請求の範囲】
【請求項１】
頂板部及びスカート部から成り、該頂板部中央に開口が形成されたキャップシェル、該キャップシェル頂板部の開口を覆うように、キャップシェル内面に組み合わされるシール材、及び製品情報が記憶されたＩＣタグから成るＩＣタグ付キャップにおいて、
前記ＩＣタグが、キャップシェル頂板部内面及びシール材上面で保持され、キャップを容器口部から取外した後、シール材をキャップシェル開口から押圧してキャップシェルと分離することにより、ＩＣタグのキャップからの取外しが可能であることを特徴とするＩＣタグ付キャップ。
【請求項２】
前記ＩＣタグの形状が、円形である請求項１記載のＩＣタグ付キャップ。
【請求項３】
前記シール材が、インナーリングを有する中栓である請求項１又は２記載のＩＣタグ付キャップ。
【請求項４】
前記キャップシェル頂板部内面及びシール材上面に閉蓋状態で係合する係合用突起が形成されている請求項１乃至３の何れかに記載のＩＣタグ付キャップ。
【請求項５】
前記ＩＣタグの直径が前記キャップシェルの開口の直径の１０４％以上である請求項２記載のＩＣタグ付キャップ。
【請求項６】
頂板部及びスカート部から成り、該頂板部中央に開口が形成されたキャップシェル、該キャップシェル頂板部の開口を覆うように、キャップシェル内面に組み合わされるシール材、及び製品情報が記憶されたＩＣタグから成るＩＣタグ付キャップにおいて、
前記ＩＣタグが、シール材と一体化され、キャップを容器口部から取外した後、シール材をキャップシェル開口から押圧してキャップシェルから取外すことにより、ＩＣタグのキャップからの取外しが可能であることを特徴とするＩＣタグ付キャップ。
【請求項７】
前記ＩＣタグが、シール材上面に接着されている請求項６記載のＩＣタグ付キャップ。
【請求項８】
前記ＩＣタグが、シール材を構成する樹脂中に組み込まれている請求項６記載のＩＣタグ付キャップ。
【発明の詳細な説明】
【技術分野】
【０００１】
本発明は、製品情報が記憶されたＩＣタグがキャップに取り付けられて成るキャップに関し、より詳細には、キャップを廃棄する際にＩＣタグをキャップから容易に取外すことが可能なＩＣタグ付キャップに関する。
【背景技術】
【０００２】
従来、各種の製品には、製造年月日、製造・販売者名、使用期限などの製品情報を表示したバーコードが広く利用されている。かかるバーコードは、コード化された情報をリーダーで読取るものであるため、バーコードの印刷面は平面である必要がある。このため、ボトルやキャップ等の包装材料の分野では、バーコードの印刷面が制限されるという問題がある。また、バーコードではコード化できる情報量も限られたものとなってしまうという問題がある。
【０００３】
そこで、最近では、ＩＣタグを用いた情報表示の技術が利用されるようになってきた。ＩＣタグとは、ＲＦＩＤ (Radio Frequency Identification)とも呼ばれるものであり、所定の情報が記憶されたＩＣチップを無線アンテナと共に樹脂やガラス等の誘電体材料に埋め込んでタグ（荷札）状に形成した超小型の通信端末である。このようなＩＣタグは、無線通信により、ＩＣチップに記憶された製品情報を読取るものであり、ＩＣチップのメモリには、例えば数百バイトのデータを記録することができ、多くの製品情報を記録できるという利点がある。また、ＩＣタグは、非接触で記録された情報を読取ることができ、接触による摩耗などの問題もなく、更には、商品の形態に併せた形状に加工することや、小型化或いは薄型化等も可能であるという利点がある。
【０００４】
このようなＩＣタグが設けられたキャップにおいては、商品の搬送や荷積み、商品陳列等の際にＩＣタグが破損しないことが必要であると共に、消費者が商品を使用する前にＩＣタグが剥離されたり或いは他のＩＣタグと交換される等のいたずらが加えられないようにすることが必要となる。
このような観点から、ＩＣタグが設けられたキャップにおいては、ＩＣタグがキャップの頂板部に埋め込まれたものが提案されている(特許文献１及び特許文献２)。
【特許文献１】特開２００６−６２７１６号公報
【特許文献２】特開２００５−３２１９３５号公報
【発明の開示】
【発明が解決しようとする課題】
【０００５】
近年、資源の再利用の観点から分別廃棄が要求されており、かかる要求に応えるためには、重金属が含有されているＩＣタグをプラスチックキャップから取り除く必要があるが、上記タイプのＩＣタグ付キャップにおいては、プラスチックキャップ中に埋設されているＩＣタグを取り除くことは困難である。
【０００６】
従って本発明の目的は、キャップの廃棄する際にＩＣタグのキャップからの取り外しを容易に行うことが可能なＩＣタグ付キャップを提供することである。
また本発明の他の目的は、ＩＣタグの破損やＩＣタグへのいたずらが有効に防止されているＩＣタグ付キャップを提供することである。
本発明の更に他の目的は、ＩＣタグのキャップ内への設置及び位置決めが容易であり、キャップシェル、シール材及びＩＣタグの組み付けが容易で生産性に優れたＩＣタグ付キャップを提供することである。
【課題を解決するための手段】
【０００７】
本発明の第一の態様によれば、頂板部及びスカート部から成り、該頂板部中央に開口が形成されたキャップシェル、該キャップシェル頂板部の開口を覆うように、キャップシェル内面に組み合わされるシール材、及び製品情報が記憶されたＩＣタグから成るＩＣタグ付キャップにおいて、前記ＩＣタグが、キャップシェル頂板部内面及びシール材上面で保持され、キャップを容器口部から取外した後、シール材をキャップシェル開口から押圧してキャップシェルと分離することにより、ＩＣタグのキャップからの取外しが可能であることを特徴とするＩＣタグ付キャップが提供される。
本発明の第一の態様のＩＣタグキャップにおいては、
１．ＩＣタグの形状が、円形であること、
２．シール材が、インナーリングを有する中栓であること、
３．キャップシェル頂板部内面及びシール材上面に閉蓋状態で係合する係合用突起が形成されていること、
４．ＩＣタグの直径が前記キャップシェルの開口の直径の１０４％以上であること、
が好適である。
【０００８】
本発明の第二の態様によれば、頂板部及びスカート部から成り、該頂板部中央に開口が形成されたキャップシェル、該キャップシェル頂板部の開口を覆うように、キャップシェル内面に組み合わされるシール材、及び製品情報が記憶されたＩＣタグから成るＩＣタグ付キャップにおいて、前記ＩＣタグが、シール材と一体化され、キャップを容器口部から取外した後、シール材をキャップシェル開口から押圧してキャップシェルから取外すことにより、ＩＣタグのキャップからの取外しが可能であることを特徴とするＩＣタグ付キャップが提供される。
本発明の第二の態様のＩＣタグ付キャップにおいては、
１．ＩＣタグが、シール材上面に接着されていること、
２．ＩＣタグが、シール材を構成する樹脂中に組み込まれていること、
が好適である。
【発明の効果】
【０００９】
本発明のＩＣタグ付キャップにおいては、キャップの使用後ＩＣタグをキャップから容易に取外すことができ、分別廃棄性に優れている。更にＩＣタグのキャップ内への設置及び位置決めが容易であり、生産性に優れている。
また第二の態様においては、ＩＣタグが中栓中に組み込まれることにより、ＩＣタグの破損が有効に防止することができると共に、ＩＣタグがシール材に埋設或いはシール材の容器側に組み込まれることにより、ＩＣタグはキャップの外観上認識されないので、ＩＣタグへのいたずらを有効に防止することもできる。
【発明を実施するための最良の形態】
【００１０】
本発明のＩＣタグ付キャップにおいては、頂板部及びスカート部から成り、該頂板部中央に開口が形成されたキャップシェル、該キャップシェル頂板部の開口を覆うように、キャップシェル内面に組み合わされるシール材、及び製品情報が記憶されたＩＣタグから成るＩＣタグ付キャップからなるものであり、第一の態様においては、前記ＩＣタグが、キャップシェル頂板部内面及びシール材上面で保持され、キャップを容器口部から取外した後、シール材をキャップシェル開口から押圧してキャップシェルと分離することにより、ＩＣタグのキャップからの取外しが可能であることが重要な特徴である。
【００１１】
図１は、ＩＣタグの一例を示す側断面図である。また図２は、第一の態様のＩＣタグ付キャップの一例を示す図であり、（Ａ）は上面図、（Ｂ）は側断面図を示す図であり、図３は、図２に示すＩＣタグ付キャップのシール部材の側断面図である。
尚、図２（Ｂ）におけるシール材とキャップシェルとの位置関係は、容器に装着された状態での位置を示している。
本発明の第一の態様においては、ＩＣタグ付キャップは、ＩＣタグ１、キャップシェル１０、及びシール部材２０の３つの部材から成っている。
一般にＩＣタグ１は、図１に示すように、基材２の表面にアンテナ３及びＩＣチップ４、ＩＣチップ４を覆う被覆層５から成っている。
キャップシェル１０は、概略的に言って、頂板部１１、頂板部１１の周縁から垂下するスカート部１２から成っている。頂板部１２の中央には、開口１３が形成されており、またスカート部１２の内面には、容器口部と螺合するネジ部１４が形成されている。更にスカート部１２の下端には、弱化部１５を介して、内面にフラップ片１６を有するタンパーエビデントバンド１７が形成されている。
図２に示した具体例においては、キャップ頂板部１１の内面側には、後述するシール材の突起の位置と合致する環状凹部１８が形成されている。
【００１２】
シール材２０は、図３に示すように、概略的に言って、キャップシェル頂板部内面の外径よりも若干小さい外径を有する円板部分２１、この円板部分２１の下面から容器口部内に嵌合して容器口部内面と密着して容器の密封性を確保するインナーリング２２から成っている。
また図３に示した具体例においては、図２から明らかなように、円板部分２１の上面且つキャップシェル頂板部の開口１３よりも外周側で、前述したキャップシェルの環状凹部１８に対応する位置に係合用突起２３が複数個形成されている。かかる係合用突起２３が形成されていることにより、シール材２０のキャップシェル内での位置決めが可能になると共に、環状凹部１８内で、係合用突起２３が形成されていない部分が開口１３から浸入する洗浄水の排出流路を形成することができ、効率的に洗浄水を排出することができる。
【００１３】
ＩＣタグ１は、図１に示すように、基板２上に一体に形成されたアンテナ３及びＩＣチップ４から成り、ＩＣチップ４が基板２から突出した形状であるため、図２に示すようにシール材２０の円板部分２１の中央には、かかるＩＣチップの突出に対応した凹部２４が形成され、ＩＣタグ１をシール材２０に載置する際に、この凹部２４に突出したＩＣチップ４が位置するように設置することが好適ある。これにより、ＩＣチップの押圧等による破損を有効に防止することが可能になると共に、ＩＣタグのシール材上での位置決めも容易になる。
本発明に用いるＩＣタグの形状としては、図２に示すように円形の基板２にアンテナ３及びＩＣチップ４が設置された円形のタグであることが特に好ましい。
すなわち円形のタグであることにより、ＩＣタグの周縁を全周に亘って均一にキャップシェル及びシール材で保持することが可能となり、ＩＣタグを確実にキャップに固定できると共に、開口から押圧しない限り取外すことが困難であるので特に好ましい。
【００１４】
本発明においては、図２（Ａ）から明らかなように、上記キャップシェル１０とシール材２０を組み合わせる際に、キャップシェル１０の頂板部１１の内面及びシール材２０の上面の間にＩＣタグ１を設置し、キャップシェル１０とシール材２０を組み合わせて、ＩＣタグ１を保持する。
すなわち、ＩＣタグ１は、図２（Ｂ）から明らかなように、その直径がキャップシェルの開口１３の直径よりも大きく形成されているため、キャップシェル頂板部１１の内面とシール材２０の上面の間に保持されて、キャップから脱落することなく固定されることが可能となる。
【００１５】
シール材２０のキャップシェル１０への固定は、図２に示した具体例では、キャップシェル１０のスカート部３の内面上方に、シール材をキャップシェル内に固定するための環状係止部１９が形成され、該係止部１９にシール２０の外周縁２５が係止することにより、シール材をキャップシェルから脱落することなく、キャップシェル頂板部内面を覆うようにキャップシェル内に固定することが可能となる。
また環状係止部１９を形成することなく、キャップシェル１０のネジ部１４の上部でシール材外周縁を係止することにより、シール材をキャップシェル頂板部内面を覆うようにキャップシェル内に固定することもできる。
キャップが容器口部に装着された状態においては、ＩＣタグの周縁部がキャップシェル頂板部１１の内面とシール材２０の上面間に挟持されることになる。
【００１６】
本発明の第一の態様のＩＣタグにおいては、図１に示したように、ＩＣタグ自体を円形に成形することにより、そのままＩＣタグをキャップシェル及びシール材の間で完全に保持することが可能であるが、例えば、ＩＣタグが長辺及び短辺を有する短冊状の場合等には、ＩＣタグの長辺が開口の直径よりも大きいことにより、少なくとも短辺付近の部分がキャップシェル頂板部の内面及びシール材で挟持されるので、キャップから脱落することなく固定されることが可能となる。
また短冊状のＩＣタグの片面或いは両面に、キャップシェルの開口よりも大きく且つシール材の係合用突起が形成する環状部分の内径よりも小さい径を有する円形の樹脂シートを接着させて、キャップシェル及びシール材の間に設置することもできる。これにより、キャップシェル開口を通してＩＣタグに直接触ることができないため、いたずら等を有効に防止することが可能となる。
【００１７】
第一の態様のＩＣタグ付キャップにおいて、ＩＣタグをキャップから取り外すには、キャップを容器口部から取り外した後、キャップシェルの開口からＩＣタグ及びシール材を押圧することにより、シール材とキャップシェルの係止が解除され、シール材がキャップシェルと分離されることにより、容易にＩＣタグをキャップから取り除くことができる。
【００１８】
また本発明のＩＣタグ付キャップの第二の態様は、図４に示すように、ＩＣタグが、シール材と一体化されていることが特徴であり、キャップを容器口部から取外した後、シール材をキャップシェル開口から押圧してキャップシェルから取外すことにより、ＩＣタグをシール材と共にキャップから取外すことができる。
すなわちこの態様においては、ＩＣタグはシール材を成形した後、シール材の上面に接着剤等を用いてＩＣタグをシール材に積層して一体化することもできるし、或いはシール材を成形する際に、キャップシェル開口に対応する位置にＩＣタグを組み込むようにインサート成形すること等によって一体成形することができる。
またＩＣタグをシール材に組み込んで一体成形する場合には、ＩＣタグはシール材中に完全に埋設することもできるし、或いはシール材のキャップシェル側又は容器側の何れかの面に溶着させてもよい。
ＩＣタグをシール材に、埋設或いは容器側に組み込むことにより、キャップシェル開口からＩＣタグを直接触ることは勿論、認識することもできないため、いたずらや或いは外部からの衝撃などによる影響を受けにくくなるので、好ましい。
更に、第二の態様のようにＩＣタグが、シール材と一体化されていると、ＩＣタグのキャップシェルへのセッティングが容易となり、生産性の向上が可能となる。
【００１９】
第二の態様のＩＣタグ付キャップにおいては、第一の態様のＩＣタグ付キャップと同様に、開口からシール材を押圧することにより、シール材とキャップシェルの係止が解除され、シール材がキャップシェルと分離するので、ＩＣタグが一体化されたシール材をキャップシェルとは別途に廃棄すればよい。
【００２０】
本発明において、キャップシェルに形成される開口は、開口からの押圧によりシール材がキャップシェルから容易に取り外される限り、その大きさは特に限定されないが、特に第一の態様のＩＣタグ付キャップにおいて、ＩＣタグがキャップシェル及びシール材で確実に保持されることが重要であり、ＩＣタグの形状が円形の場合は、ＩＣタグの直径が開口の直径の１０４％以上であることが好適であり、ＩＣタグの形状が短冊状の場合は、長辺の長さが開口の直径の１０８％以上であることが好適である。
【００２１】
またＩＣタグをシール材に設置或いは接着するような場合には、ＩＣタグは、キャップシェルの開口径よりも大きく且つシール材の係合用突起で囲まれたシール材の中央部分の径よりも小さく形成されることが好ましい。
また図に示した具体例においては、シール材はインナーリングを有する中栓状のものであったが、これに限定されるものではなく、容器口部先端と密着して密封性を確保する円盤状のライナーであっても勿論よい。
【００２２】
本発明のＩＣタグ付キャップは、予め射出成形、圧縮成形等の従来公知の手段によってキャップシェル、シール材（中栓）を成形し、シール材にＩＣタグを設置又は必要により接着してＩＣタグをシール材に一体化させた後、或いはシール材を成形する際にＩＣタグをシール材中に埋設或いは溶着してＩＣタグとシール材を一体成形し、シール材及びＩＣタグをキャップシェル内に挿入して、ネジ部の最上段或いはキャップシェルスカート部内面にネジ部とは別途形成された環状係止部とシール材端縁を係止させて、シール材をキャップシェル内に固定することにより作成することができる。
【００２３】
本発明のＩＣタグ付キャップに用いられるキャップシェルとしては、従来キャップシェルに使用されていた、ポリエチレン、ポリプロピレン等を使用することができ、特にポリプロピレン又は高密度ポリエチレンを好適に用いることができる。
またシール材を形成する樹脂としては、ポリプロピレン、ポリエチレン、特にポリプロピレン、高密度ポリエチレンを好適に用いることができる。
【図面の簡単な説明】
【００２４】
【図１】ＩＣタグの一例の側断面図を示す図である。
【図２】本発明の第一の態様のＩＣタグ付キャップの一例を示す図である。
【図３】図２のシール材を示す側断面図である。
【図４】本発明の第二の態様のＩＣタグ付キャップの一例を示す図である。
【符号の説明】
【００２５】
１  ＩＣタグ、２  基板、３  アンテナ、４  ＩＣチップ、１０  キャップシェル、
１１  頂板部、１２  スカート部、１３  密封部、１４  ネジ部、１５  弱化部、
１６  フラップ片、１７  タンパーエビデントバンド、２０  シール材、
２１  円板部分、２２  インナーリング、２３  係合用突起、２４  凹部。
【図１】
2008090337.tif 000003
【図２】
2008090337.tif 000004
【図３】
2008090337.tif 000005
【図４】
2008090337.tif 000006